(57)【要約】【課題】テレビジョン放送信号受信装置において、自動電源オフの処理に伴う視覚的、聴覚的な変化に起因してユーザが目を覚ましてしまうことを防ぐと共に、ユーザを確実、かつ快適に目覚めさせる。【解決手段】ユーザが起きているか否かの確認メッセージを１５分間隔で繰り返して表示し（Ｓ４乃至Ｓ６）、これに対する応答入力がなければ、確認メッセージの出力から３０分後に、自動電源オフされるようにした（Ｓ７）。ここで、確認メッセージの出力から３０分後には、ユーザは、確実にノンレム睡眠の状態に入っているため、自動電源オフの処理に伴ってユーザが目を覚ましてしまうことを防げる。また、自動電源オンの予定時間の選択画面に、直前に電源オフされた時刻の２３０分後、３２０分後、及び４１０分後を表示することにより（Ｓ２）、ユーザがレム睡眠の状態であるときに、自動電源オンすることができるので、ユーザを確実、かつ快適に目覚めさせられる。【選択図】図２
2006014063.tif 000002
【特許請求の範囲】
【請求項１】
チャンネルの選択操作や、自動電源オン又は／及び自動電源オフの予定時刻を入力するための操作手段と、
アンテナで受信した複数の放送信号の中から前記操作手段を用いてユーザにより選択されたチャンネルの放送信号を抽出するチューナーと、
前記チューナーにより抽出された放送信号を映像信号や音声信号等に分離して復号するデコーダと、
前記デコーダによって復号された映像信号に文字等の映像信号を重畳させるオンスクリーンディスプレイ手段と、
前記デコーダにより復号された映像信号、又は前記オンスクリーンディスプレイ手段によって文字等の映像信号を重畳させられた後の映像信号を出力する映像信号出力手段と、
前記デコーダにより復号された音声信号を出力する音声信号出力手段と、
現在時刻等の時間情報を出力するタイマと、
前記タイマから出力された時間情報と、前記操作手段を用いてユーザにより入力された自動電源オン又は／及び自動電源オフの予定時刻等の情報に基いて、装置の自動電源オン又は／及び自動電源オフの制御を行う制御手段とを備えたテレビジョン放送信号受信装置において、
自動電源オンの予定時間の候補を一覧表示した選択画面を表示する選択画面表示手段と、
前記選択画面表示手段に一覧表示された候補の中から前記操作手段を用いてユーザにより選択入力された自動電源オンの予定時間と、前記操作手段を用いてユーザにより入力された自動電源オフの予定時刻を記憶する記憶手段とをさらに備え、
前記選択画面表示手段により表示される選択画面には、自動電源オンの予定時間の候補として、少なくとも、「直前に電源オフされた時刻の２３０分後」、「直前に電源オフされた時刻の３２０分後」、及び「直前に電源オフされた時刻の４１０分後」が表示され、
前記制御手段は、
前記記憶手段に記憶された自動電源オフの予定時刻より所定時間前の時刻から、ユーザが起きているか否かを確認するためのメッセージ（以下、確認メッセージという）を、前記オンスクリーンディスプレイ手段を用いて、繰り返して表示手段に出力し、
前記操作手段を用いてユーザにより前記確認メッセージに対する応答入力が３０分以内になされたときは、この応答入力から１０分乃至１５分が経過するまで、前記確認メッセージの出力を一旦停止し、
前記操作手段を用いてユーザにより前記確認メッセージに対する応答入力が３０分以内になされなかったときは、前記確認メッセージの出力から３０分後に、装置の電源を自動的にオフするように制御すると共に、
前記記憶手段に記憶された自動電源オンの予定時間に、装置の電源を自動的にオンするように制御することを特徴とするテレビジョン放送信号受信装置。
【請求項２】
チャンネルの選択操作や、自動電源オン又は／及び自動電源オフの予定時刻を入力するための操作手段と、
アンテナで受信した複数の放送信号の中から前記操作手段を用いてユーザにより選択されたチャンネルの放送信号を抽出するチューナーと、
前記チューナーにより抽出された放送信号を映像信号や音声信号等に分離して復号するデコーダと、
前記デコーダにより復号された映像信号を出力する映像信号出力手段と、
前記デコーダにより復号された音声信号を出力する音声信号出力手段と、
現在時刻等の時間情報を出力するタイマと、
前記タイマから出力された時間情報と、前記操作手段を用いてユーザにより入力された自動電源オン又は／及び自動電源オフの予定時刻等の情報に基いて、装置の自動電源オン又は／及び自動電源オフの制御を行う制御手段とを備えたテレビジョン放送信号受信装置において、
前記操作手段を用いてユーザにより入力された自動電源オフの予定時刻を記憶する記憶手段をさらに備え、
前記制御手段は、
前記記憶手段に記憶された自動電源オフの予定時刻より所定時間前の時刻から、ユーザが起きているか否かを確認するためのメッセージ（以下、確認メッセージという）を繰り返して表示手段に出力し、
前記操作手段を用いてユーザにより前記確認メッセージに対する応答入力が所定時間内になされたときは、この応答入力から１０分乃至１５分が経過するまで、前記確認メッセージの出力を一旦停止し、
前記操作手段を用いてユーザにより前記確認メッセージに対する応答入力が所定時間内になされなかったときは、前記確認メッセージの出力から３０分後に、装置の電源を自動的にオフするように制御することを特徴とするテレビジョン放送信号受信装置。
【請求項３】
自動電源オンの予定時間の候補を一覧表示した選択画面を表示する選択画面表示手段をさらに備え、
前記選択画面表示手段により表示される選択画面には、自動電源オンの予定時間の候補として、少なくとも、「直前に電源オフされた時刻の２３０分後」、「直前に電源オフされた時刻の３２０分後」、及び「直前に電源オフされた時刻の４１０分後」が表示され、
前記記憶手段は、前記選択画面表示手段に一覧表示された候補の中から前記操作手段を用いてユーザにより選択入力された自動電源オンの予定時間をさらに記憶し、
前記制御手段は、前記記憶手段に記憶された自動電源オンの予定時間に、装置の電源を自動的にオンするように制御することを特徴とする請求項２に記載のテレビジョン放送信号受信装置。
【発明の詳細な説明】
【技術分野】
【０００１】
本発明は、自動電源オン／オフ機能を有するテレビジョン放送信号受信装置に関する。
【背景技術】
【０００２】
従来のテレビジョン放送信号受信装置には、自動電源オン／オフ機能を有するものが多い。ユーザは、自動電源オフ機能を用いることにより、入眠時にテレビジョン放送信号受信装置の電源を切り忘れることがなくなる。また、多くのユーザが、自動電源オン機能を用いて、テレビジョン放送信号受信装置を目覚まし時計代わりに使用している。
【０００３】
しかしながら、上記のような従来の自動電源オン／オフ機能を有するテレビジョン放送信号受信装置は、入眠してから短時間の眠りの浅い時間帯（レム睡眠の時間帯）に自動的に電源をオフしてしまうことが多い。このように、レム睡眠の時間帯に自動的に電源がオフされてしまうと、ユーザは、今まで聞こえていた音や瞼越しの光が突然無くなってしまうので、視覚的、聴覚的な変化のために、目を覚ましてしまうことが多い。
【０００４】
そこで、この種の家電機器の分野において、ユーザが身動きしているか否かを振動センサを用いて検出して、所定の時間の間、振動を検出しないと、ユーザが眠りの浅いレム睡眠の状態から眠りの深いノンレム睡眠の状態に移行したと判定して、自動的に電源をオフするようにしたものが知られている（例えば、特許文献１参照）。
【０００５】
しかしながら、上記特許文献１に示される家電機器では、ユーザがノンレム睡眠に入ったか否かを振動センサを用いて検出するため、ユーザが寝ている部屋が道路に近い場合や、ユーザが寝ている部屋の隣室に騒がしい人が住んでいる場合には、ユーザがノンレム睡眠に入ったか否かを正確に検出することができない。
【０００６】
ところで、エアコン関連のシステムの分野において、レム睡眠とノンレム睡眠からなる人間の睡眠周期を考慮して、ユーザのレム睡眠が終了する前にエアコンを起動させると共に、ユーザのレム睡眠の終了直後にアラーム音の鳴動と室内照度の増加を行うようにしたものが知られている（例えば、特許文献２参照）。さらにまた、ユーザが目覚めのよい快適な起床を得ることができるようにすることを目的として、上記のレム睡眠時に相当する時刻を簡単に表示、選択することができるようにした目覚まし時計が知られている（例えば、特許文献３参照）。
【０００７】
けれども、上記特許文献２及び特許文献３に示される家電機器では、上記の問題を解決することができない。
【特許文献１】特開平１０−３０９０４６号公報
【特許文献２】特開２００１−１７５５０号公報
【特許文献３】特開２００１−１１６８６６号公報
【発明の開示】
【発明が解決しようとする課題】
【０００８】
本発明は、上記の問題を解決するためになされたものであり、ユーザが確実にノンレム睡眠の状態であるときに、自動的に電源をオフすることができるようにして、自動電源オフの処理に伴う視覚的、聴覚的な変化に起因してユーザが目を覚ましてしまうことを防ぐことができるようにすると共に、ユーザがレム睡眠の状態であるときに、自動的に電源をオンすることができるようにして、ユーザを確実、かつ快適に目覚めさせることが可能なテレビジョン放送信号受信装置を提供することを目的とする。
【課題を解決するための手段】
【０００９】
上記目的を達成するために請求項１の発明は、チャンネルの選択操作や、自動電源オン又は／及び自動電源オフの予定時刻を入力するための操作手段と、アンテナで受信した複数の放送信号の中から操作手段を用いてユーザにより選択されたチャンネルの放送信号を抽出するチューナーと、チューナーにより抽出された放送信号を映像信号や音声信号等に分離して復号するデコーダと、デコーダによって復号された映像信号に文字等の映像信号を重畳させるオンスクリーンディスプレイ手段と、デコーダにより復号された映像信号、又はオンスクリーンディスプレイ手段によって文字等の映像信号を重畳させられた後の映像信号を出力する映像信号出力手段と、デコーダにより復号された音声信号を出力する音声信号出力手段と、現在時刻等の時間情報を出力するタイマと、タイマから出力された時間情報と、操作手段を用いてユーザにより入力された自動電源オン又は／及び自動電源オフの予定時刻等の情報に基いて、装置の自動電源オン又は／及び自動電源オフの制御を行う制御手段とを備えたテレビジョン放送信号受信装置において、自動電源オンの予定時間の候補を一覧表示した選択画面を表示する選択画面表示手段と、選択画面表示手段に一覧表示された候補の中から操作手段を用いてユーザにより選択入力された自動電源オンの予定時間と、操作手段を用いてユーザにより入力された自動電源オフの予定時刻を記憶する記憶手段とをさらに備え、選択画面表示手段により表示される選択画面には、自動電源オンの予定時間の候補として、少なくとも、「直前に電源オフされた時刻の２３０分後」、「直前に電源オフされた時刻の３２０分後」、及び「直前に電源オフされた時刻の４１０分後」が表示され、制御手段は、記憶手段に記憶された自動電源オフの予定時刻より所定時間前の時刻から、ユーザが起きているか否かを確認するためのメッセージ（以下、確認メッセージという）を、オンスクリーンディスプレイ手段を用いて、繰り返して表示手段に出力し、操作手段を用いてユーザにより確認メッセージに対する応答入力が３０分以内になされたときは、この応答入力から１０分乃至１５分が経過するまで、確認メッセージの出力を一旦停止し、操作手段を用いてユーザにより確認メッセージに対する応答入力が３０分以内になされなかったときは、上記確認メッセージの出力から３０分後に、装置の電源を自動的にオフするように制御すると共に、記憶手段に記憶された自動電源オンの予定時間に、装置の電源を自動的にオンするように制御するものである。
【００１０】
請求項２の発明は、チャンネルの選択操作や、自動電源オン又は／及び自動電源オフの予定時刻を入力するための操作手段と、アンテナで受信した複数の放送信号の中から操作手段を用いてユーザにより選択されたチャンネルの放送信号を抽出するチューナーと、チューナーにより抽出された放送信号を映像信号や音声信号等に分離して復号するデコーダと、デコーダにより復号された映像信号を出力する映像信号出力手段と、デコーダにより復号された音声信号を出力する音声信号出力手段と、現在時刻等の時間情報を出力するタイマと、タイマから出力された時間情報と、操作手段を用いてユーザにより入力された自動電源オン又は／及び自動電源オフの予定時刻等の情報に基いて、装置の自動電源オン又は／及び自動電源オフの制御を行う制御手段とを備えたテレビジョン放送信号受信装置において、操作手段を用いてユーザにより入力された自動電源オフの予定時刻を記憶する記憶手段をさらに備え、制御手段は、記憶手段に記憶された自動電源オフの予定時刻より所定時間前の時刻から、ユーザが起きているか否かを確認するためのメッセージ（以下、確認メッセージという）を繰り返して表示手段に出力し、操作手段を用いてユーザにより確認メッセージに対する応答入力が所定時間内になされたときは、この応答入力から１０分乃至１５分が経過するまで、確認メッセージの出力を一旦停止し、操作手段を用いてユーザにより確認メッセージに対する応答入力が所定時間内になされなかったときは、確認メッセージの出力から３０分後に、装置の電源を自動的にオフするように制御するものである。
【００１１】
請求項３の発明は、請求項２に記載のテレビジョン放送信号受信装置において、自動電源オンの予定時間の候補を一覧表示した選択画面を表示する選択画面表示手段をさらに備え、選択画面表示手段により表示される選択画面には、自動電源オンの予定時間の候補として、少なくとも、「直前に電源オフされた時刻の２３０分後」、「直前に電源オフされた時刻の３２０分後」、及び「直前に電源オフされた時刻の４１０分後」が表示され、記憶手段は、選択画面表示手段に一覧表示された候補の中から操作手段を用いてユーザにより選択入力された自動電源オンの予定時間をさらに記憶し、制御手段は、記憶手段に記憶された自動電源オンの予定時間に、装置の電源を自動的にオンするように制御するものである。
【発明の効果】
【００１２】
請求項１の発明によれば、自動電源オフの予定時刻より所定時間前の時刻から、確認メッセージが略１０分乃至１５分間隔で繰り返して表示手段に出力され、この確認メッセージに対する応答入力がユーザによって３０分以内になされなかったときは、上記確認メッセージの出力から３０分後に、装置の電源が自動的にオフされる。ここで、確認メッセージは略１０分乃至１５分間隔で繰り返して出力されることから、ユーザが眠りに入るのは、前回の確認メッセージが出力されてから０分後より１５分後の間ということになる。そして、ユーザが眠りに入ってから０分後より１５分後の間に、次の確認メッセージが出力される。従って、上記のように、この確認メッセージの出力から３０分後に装置の電源が自動的にオフされるということは、ユーザが眠りに入ってから３０分後より４５分後の間に装置の電源が自動的にオフされるということを意味する。ユーザが眠りに入ってから３０分後〜４５分後には、ユーザは、確実にノンレム睡眠の状態（眠りの深い状態）に入っているため、上記のように、確認メッセージの出力から３０分後に装置の電源が自動的にオフされるようにすることで、自動電源オフの処理に伴う視覚的、聴覚的な変化に起因してユーザが目を覚ましてしまうことを防ぐことができる。
【００１３】
また、自動電源オンの予定時間の選択画面に、自動電源オンの予定時間の候補として、少なくとも、「直前に電源オフされた時刻の２３０分後」、「直前に電源オフされた時刻の３２０分後」、及び「直前に電源オフされた時刻の４１０分後」が表示されるようにした。ここで、「直前に電源オフされた時刻の２３０分後」、「直前に電源オフされた時刻の３２０分後」、及び「直前に電源オフされた時刻の４１０分後」とは、それぞれユーザが眠りに入ってから２６０分後〜２７５分後、３５０分後〜３６５分後、及び４４０分後〜４５５分後を意味する。ユーザが眠りに入ってから２６０分後〜２７５分後、３５０分後〜３６５分後、及び４４０分後〜４５５分後には、ユーザは、通常、レム睡眠の状態（眠りの浅い状態）である。従って、上記のように、自動電源オンの予定時間の選択画面に、自動電源オンの予定時間の候補として、少なくとも、「直前に電源オフされた時刻の２３０分後」、「直前に電源オフされた時刻の３２０分後」、及び「直前に電源オフされた時刻の４１０分後」を表示して、ユーザにこれらの中から自動電源オンの予定時間を選択させ、ユーザにより選択された自動電源オンの予定時間に、装置の電源を自動的にオンするようにしたことにより、ユーザがレム睡眠の状態であるときに、自動的に電源をオンすることができる。これにより、ユーザを確実、かつ快適に目覚めさせることができる。
【００１４】
請求項２の発明によれば、自動電源オフの予定時刻より所定時間前の時刻から、確認メッセージが略１０分乃至１５分間隔で繰り返して表示手段に出力され、この確認メッセージに対する応答入力がユーザによって所定時間内になされなかったときは、上記確認メッセージの出力から３０分後に、装置の電源が自動的にオフされる。これにより、上記請求項１の場合と同様に、ユーザが確実にノンレム睡眠の状態であるときに、装置の電源が自動的にオフされるようにすることができるので、自動電源オフの処理に伴う視覚的、聴覚的な変化に起因してユーザが目を覚ましてしまうことを防ぐことができる。
【００１５】
請求項３の発明によれば、自動電源オンの予定時間の選択画面に、自動電源オンの予定時間の候補として、少なくとも、「直前に電源オフされた時刻の２３０分後」、「直前に電源オフされた時刻の３２０分後」、及び「直前に電源オフされた時刻の４１０分後」が表示されるようにしたことにより、上記請求項１と同様な効果を得ることができる。
【発明を実施するための最良の形態】
【００１６】
本発明を実施するための最良の形態について図面を参照して説明する。本発明は、自動電源オン／オフ機能を有するテレビジョン放送信号受信装置に関するものであり、自動電源オフの処理に伴う視覚的、聴覚的な変化に起因してユーザが目を覚ましてしまうことを防ぐことができると共に、ユーザを確実、かつ快適に目覚めさせることができるようにしたものである。以下の実施形態では、本発明をテレビジョン受像管と一体的に形成されたテレビジョン放送信号受信装置（以下、テレビ受像機という）に適用した例について説明する。なお、以下に記載した実施形態は、本発明を網羅するものではなく、本発明は、下記の形態だけに限定されない。
【００１７】
図１は、第１の実施形態によるテレビ受像機の電気的ブロック構成を示す。このテレビ受像機１は、放送局から配信されるディジタルＴＶ放送信号をアンテナ２０を介して受信し、ディジタルＴＶ放送信号に含まれる映像信号及び音声信号を内蔵のモニタ８上に表示する装置であり、チューナ４と、ＡＴＳＣフロントエンド５と、映像・音声処理部６と、オンスクリーンディスプレイ（ＯＳＤ）部７（オンスクリーンディスプレイ手段）と、モニタ８（表示手段）と、メモリ９（記憶手段）と、ＣＰＵ１０（制御手段）とを備えている。
【００１８】
チューナ４は、アンテナ２０で受信した複数のディジタルＴＶ放送信号の中からリモコン３（操作手段）を用いてユーザにより選択されたチャンネルの放送信号を抽出する。
【００１９】
ＡＴＳＣフロントエンド５は、チューナ４で抽出したディジタルＴＶ放送信号の復調、誤り訂正処理を行い、多重化された信号の中から必要なＴＳ（Transport  Stream）パケットを分離し、ＴＶ放送信号受信装置１内の各ブロックへ、それぞれ必要なＴＳパケットを供給する。
【００２０】
映像・音声処理部６は、ＡＴＳＣフロントエンド５から入力される映像信号及び音声信号を含むＴＳパケットをデコードするＭＰＥＧ映像デコーダ及びＭＰＥＧ音声デコーダと、ＡＴＳＣフロントエンド５から入力される文字情報を含む信号をデコードして文字情報を抽出する文字情報デコーダとを備えている。
【００２１】
映像・音声処理部６で処理された映像信号は、ＯＳＤ部７とその出力端子７ａ（映像信号出力手段）とを介してモニタ８に出力される。また、映像・音声処理部６で処理された音声信号は、出力端子６ａ（音声信号出力手段）からモニタ８に送られて、モニタ８内蔵のスピーカ１４で音声に変換されて出力される。ＡＴＳＣフロントエンド５と映像・音声処理部６とは、請求項におけるデコーダに相当する。なお、モニタ８、メモリ９、及びＣＰＵ１０が、請求項における選択画面表示手段に相当する。
【００２２】
ＯＳＤ部７は、映像・音声処理部６から入力された映像信号に、所定の表示画像を重畳させる。この表示画像には、ユーザが起きているか否かを確認するためのメッセージ（以下、確認メッセージという）が含まれる。メモリ９は、ＭＰＥＧデコードされた映像信号や、文字情報デコーダによりデコードされた文字情報を一時的に記憶する他、デコードされた映像信号に重畳させる表示画像を記憶する。ＣＰＵ１０は、ＲＯＭ１１に記憶されている各種プログラムに従って各種処理を実行し、テレビ受像機１全体を制御する。ＲＯＭ１１内に記憶されているプログラムには、装置の自動電源オン／オフ処理を制御するためのプログラム１５（以下、自動電源オン／オフ制御プログラムという）が含まれている。
【００２３】
タイマ１２は、装置の自動電源オン及び自動電源オフの制御に用いるＣＰＵタイム、現在時刻等の時間情報を出力する。リモコン信号受信部１３は、リモコン３から送信された赤外線信号を受信する。
【００２４】
上記のリモコン３は、各種のキーからなるキー部３４と赤外線信号発信部３１とを有している。キー部３４には、電源キー３３、数字入力用のキー３５、及びカーソル移動キー３６に加えて、各種メニューを表示するためのメニューキー３２と、上記の確認メッセージに対する応答入力を行うための確認ボタン３７とが配設されている。ユーザは、上記のメニューキー３２を用いることにより、自動電源オフの予定時刻を入力するためのメニュー画面や、自動電源オンの予定時間を選択入力するためのメニュー画面をモニタ８上にＯＳＤ表示することができる。
【００２５】
次に、図２のフローチャートを参照して、上記のテレビ受像機における自動電源オン／オフ処理について説明する。ユーザによりリモコン３のメニューキー３２が押下されると、ＣＰＵ１０は、自動電源オフの予定時刻を入力するためのメニュー画面をモニタ８上にＯＳＤ表示する。そして、ユーザが、このメニュー画面を見ながら、リモコン３を用いて自動電源オフの予定時刻を入力すると（Ｓ１）、ＣＰＵ１０は、入力された自動電源オフの予定時刻をメモリ９に記憶した上で、自動電源オンの予定時間を選択入力するためのメニュー画面をモニタ８上にＯＳＤ表示する。このメニュー画面には、自動電源オンの予定時間の候補として、少なくとも、「直前に電源オフされた時刻の２３０分後」、「直前に電源オフされた時刻の３２０分後」、及び「直前に電源オフされた時刻の４１０分後」が表示される。そして、ユーザが、このメニュー画面を見ながら、リモコン３を用いて、自動電源オンの予定時間を、「直前に電源オフされた時刻の２３０分後」、「直前に電源オフされた時刻の３２０分後」、及び「直前に電源オフされた時刻の４１０分後」の中から選択入力すると（Ｓ２）、ＣＰＵ１０は、選択された自動電源オンの予定時刻をメモリ９に記憶する。
【００２６】
上記メモリ９に記憶された自動電源オフの予定時刻より所定時間前（例えば、１５分前）の時刻になると（Ｓ３でＹＥＳ）、ＣＰＵ１０は、ユーザが起きているか否かを確認するためのメッセージ（以下、確認メッセージという）を、モニタ８上にＯＳＤ表示する（Ｓ４）。この確認メッセージに対して、ユーザがリモコン３の確認ボタン３７を押して応答した場合は（Ｓ５でＹＥＳ）、ＣＰＵ１０は、上記の確認メッセージの出力を一旦停止した上で、この応答から１５分経過後に（Ｓ６でＹＥＳ）、再度、上記の確認メッセージを出力する。すなわち、ユーザがリモコン３の確認ボタン３７を押して応答している間は、ＣＰＵ１０は、略１５分毎に、上記の確認メッセージを出力する。
【００２７】
上記Ｓ５に示される判定処理で、ユーザがリモコン３の確認ボタン３７を押して応答しなかった場合は（Ｓ５でＮＯ）、ＣＰＵ１０は、上記確認メッセージの出力から３０分後に、自動的に装置の電源をオフする（Ｓ７）。ここで、確認メッセージは略１５分間隔で繰り返して出力されることから、ユーザが眠りに入るのは、前回の確認メッセージが出力されてから０分後より１５分後の間ということになる。そして、ユーザが眠りに入ってから０分後より１５分後の間に、次の確認メッセージが出力される。従って、上記のように、この確認メッセージの出力から３０分後に装置の電源が自動的にオフされるということは、ユーザが眠りに入ってから３０分後より４５分後の間に装置の電源が自動的にオフされるということを意味する。図３に示されるように、ユーザが眠りに入ってから３０分後〜４５分後には、ユーザは、確実にノンレム睡眠の状態（眠りの深い状態）に入っている。このため、上記のように、確認メッセージの出力から３０分後に装置の電源が自動的にオフされるようにすることで、自動電源オフの処理に伴う視覚的、聴覚的な変化に起因してユーザが目を覚ましてしまうことを防ぐことができる。
【００２８】
そして、上記メモリ９に記憶された自動電源オンの予定時刻になると、ＣＰＵ１０は、自動的に装置の電源をオンにする（Ｓ８）。この自動電源オンの時刻は、Ｓ７に示される自動電源オフの時刻の２３０分後、３２０分後又は４１０分後となる。ここで、自動電源オフの時刻の２３０分後、３２０分後及び４１０分後とは、それぞれユーザが眠りに入ってから２６０分後〜２７５分後、３５０分後〜３６５分後、及び４４０分後〜４５５分後を意味する。図３に示されるように、ユーザが眠りに入ってから２６０分後〜２７５分後、３５０分後〜３６５分後、及び４４０分後〜４５５分後には、ユーザは、通常、レム睡眠の状態（眠りの浅い状態）である。従って、上記のように、自動電源オンの予定時間を選択入力するためのメニュー画面に、自動電源オンの予定時間の候補として、「直前に電源オフされた時刻の２３０分後」、「直前に電源オフされた時刻の３２０分後」、及び「直前に電源オフされた時刻の４１０分後」を表示して、ユーザにこれらの中から自動電源オンの予定時間を選択させ、ユーザにより選択された自動電源オンの予定時間に、装置の電源を自動的にオンするようにしたことにより、ユーザがレム睡眠の状態であるときに、自動的に電源をオンすることができる。これにより、ユーザを確実、かつ快適に目覚めさせることができる。
【００２９】
次に、図４に加えて図５のフローチャートを参照して、第２の実施形態によるテレビ受像機１について説明する。第２の実施形態では、ＣＰＵ１０が、自動電源オン時に、ユーザが起きたことを確認するためのメッセージ（以下、起床確認メッセージという）を表示すると共に、この起床確認メッセージに対してユーザが確認ボタン３７を押して応答するまでの時間の平均値を格納した統計テーブル４１（図４参照）をメモリ９内に作成する。そして、次回の自動電源オン時に、この統計テーブル４１に格納された、ユーザが応答するまで（確認ボタン３７を押すまで）の時間の平均値を参照して、自動電源オンの時間をユーザの睡眠周期に応じて調整する。
【００３０】
例えば、図４に示されるように、直前に電源オフされた時刻の４１０分後に自動電源オンした場合に、ユーザが確認ボタン３７を押すまでの時間の平均値が５分であったとすると、該当のユーザは、直前に電源オフされた時刻の４１０分後には、レム睡眠の状態ではなかったと思われる。従って、ＣＰＵ１０は、このように、ユーザが確認ボタン３７を押すまでの時間の平均値が所定時間（例えば、１分）を超える場合には（Ｓ１１でＮＯ）、次回の自動電源オンの時間を１０分刻みで前後にずらす（Ｓ１２乃至Ｓ１７）。そして、ユーザが確認ボタン３７を押すまでの時間が所定時間内となる自動電源オン時間を見つけると（Ｓ１１でＹＥＳ）、この自動電源オン時間においてユーザが確認ボタン３７を押すまでの時間の平均値が所定時間を超えるようになるまで、この自動電源オン時間を、自動電源オンの予定時間を選択するためのメニュー画面上に表示する（Ｓ１８）。このような処理を行うことにより、ユーザの睡眠周期が通常の睡眠周期とずれている場合でも、ユーザがレム睡眠の状態であるときに、自動電源オンの処理を行うことができる。
【００３１】
なお、本発明は、上記実施形態に限られるものではなく、様々な変形が可能である。例えば、上記第１の実施形態では、確認メッセージを１５分毎に出力したが、確認メッセージの出力間隔は、これに限られず、例えば１０分でもよい。また、自動電源オフの時刻は、確認メッセージの出力から３０分後である必要はなく、ユーザがノンレム睡眠の状態になっている時間帯であればよい。また、自動電源オンの予定時間を選択するためのメニュー画面上に表示する自動電源オンの予定時間の候補は、「直前に電源オフされた時刻の２３０分後」、「直前に電源オフされた時刻の３２０分後」、及び「直前に電源オフされた時刻の４１０分後」に限られず、ユーザがレム睡眠の状態になっている時間帯であればよい。さらにまた、本発明の適用対象となるテレビジョン放送信号受信装置は、テレビジョン受像管と一体的に形成されたもの（テレビ受像機）に限られず、セットトップボックスのタイプのものであってもよいし、また、ＤＶＤレコーダやＣＤ−Ｒと組み合わされたものであってもよい。
【図面の簡単な説明】
【００３２】
【図１】本発明の第１の実施形態によるテレビジョン放送信号受信装置の電気的ブロック構成図。
【図２】上記受信装置における自動電源オン／オフ処理のフローチャート。
【図３】健常者の睡眠周期を示す図。
【図４】本発明の第２の実施形態によるテレビジョン放送信号受信装置のメモリ内に作成される統計テーブルを示す図。
【図５】上記受信装置における自動電源オン時間調整処理のフローチャート。
【符号の説明】
【００３３】
１    テレビ受像機（テレビジョン放送信号受信装置）
４    チューナ
５    ＡＴＳＣフロントエンド（デコーダ）
６    映像・音声処理部（デコーダ）
７    ＯＳＤ部（オンスクリーンディスプレイ手段）
８    モニタ（表示手段、選択画面表示手段）
９    メモリ（記憶手段、選択画面表示手段）
１０  ＣＰＵ（制御手段、選択画面表示手段）
１２  タイマ
６ａ  出力端子（音声信号出力手段）
７ａ  出力端子（映像信号出力手段）
【図１】
2006014063.tif 000003
【図２】
2006014063.tif 000004
【図３】
2006014063.tif 000005
【図４】
2006014063.tif 000006
【図５】
2006014063.tif 000007